(57)【要約】【課題】  引戸閉止時のバウンドを防止する。【解決手段】  挺子レバー１４の両端に夫々トリガー杆３とスライダー１１とを係合させて、引戸閉止時これらが反対方向に動くようにし、一方、スライダー１１の前端部に、常態においてほぼ水平なアーム部１６ａを前端に形成したホルダー１６の一端を揺動可能に支承すると共に、アーム部１６ａの前端に、基端を揺動可能に支承され、また、ローラーを回動可能に坦持した先端が前方に付勢されると共に、ローラーの中心位置をホルダーの一端における支軸の中心より基端側に僅かに偏位させた係止ピースを設け、引戸閉止時係止ピース１８と戸枠の係止孔２５の上側開口縁との係合によってホルダー１６を回動させ、係止ピース１８を係止孔２５の裏側に係止する。【選択図】  図５
2005060961.tif 000002
【特許請求の範囲】
【請求項１】
引戸の戸先に装着された基枠において、戸先面に垂直な前後方向に移動可能に案内され、戸先面から突出する方向に付勢されたトリガー杆と、このトリガー杆の近傍において前後方向に移動可能に案内されたスライダーと、上記トリガー杆及びスライダーの中間に植設された支軸に中央部を揺動可能に支承され、一端をトリガー杆に、他端をスライダに夫々係合させた挺子レバーと、上記スライダーの前端部に一端を揺動可能に支承され、他端がトリガー杆に近接する方向に付勢されると共に、他端部に常態においてほぼ水平なアーム部を形成したホルダーと、常態において上記アーム部とほぼ垂直で、基端をアーム部の先端に揺動可能に支承され、また、ローラーを回動可能に坦持した先端が前方に付勢されると共に、ローラーの中心位置をホルダーの一端における支軸の中心より基端側に僅かに偏位させた係止ピースとを有し、引戸の閉止時、戸枠に当接して後方に移動するトリガー杆により挺子レバーを介してスライダーを前進させ、戸枠に開口した係止孔の上側開口縁に係止ピースの先端を係合させることにより、ホルダーのアームをトリガー杆から離間する方向に回動させ、その先端の係止ピースが係止孔を潜り抜けた後、これを係止孔の裏側から係止孔の上側開口縁に係合させるようにしたことを特徴とする引戸の仮締り機構。
【発明の詳細な説明】
【技術分野】
【０００１】
この発明は、引戸の仮締り機構（以下単に仮締り機構という）に係り、特に、引戸閉止時引戸の反発（以下バウンドという）を防止して引戸の電気錠の閉扉信号を確実に受信できるようにすると共に、引戸錠の使い勝手を向上させ得る引戸の仮締り機構に関する。
【背景技術】
【０００２】
引戸の戸先に所謂カマと称せられる錠止部材を装備した引戸錠を装着し、これを引戸閉止時戸先と当接する戸枠のストライク孔に振り入れる形式の引戸錠は種々提案されている。
【０００３】
この形式の引戸錠は、引戸を勢い良く閉めると引戸の戸先が戸枠に衝突し、騒音が生じるばかりでなく、引戸がバウンドして引戸と戸枠との間に隙間が生じたり、引戸錠が電気錠である場合には、その振動のために閉扉信号を得にくかったりする。
【０００４】
そこで、本出願人は先に、後記特許文献１を以て、所謂バウンド防止機構を組込んだ引戸錠を提案した。
【０００５】
この引戸錠は、扉枠のストライク孔に係止されるカマと称せられる錠止部材の作動に工夫をこらし、カマ自体にバウンド防止機能を付与したものである。
【０００６】
しかしながら、このバウンド防止機構を組込んだ引戸錠は、バウンドを防止するため引戸錠を一旦錠止しなければならないから、引戸を開ける時引戸錠を解錠するという操作を必要とし、要するに引戸の開け閉めに手間がかかる、等未だ改良の余地がある。
【特許文献１】実公平３−２４７７８号公報
【発明の開示】
【発明が解決しようとする課題】
【０００７】
そこで、この発明は、従来の引戸錠や引戸用電気錠に併設もできるし、或いは引戸錠や引戸用電気錠に組込むことができ、引戸のバウンドを防止し得る仮締り機構を提供することを目的としている。
【課題を解決するための手段】
【０００８】
上記の目的を達成するため、この発明は、引戸の戸先に装着された基枠において、戸先面に垂直な前後方向に移動可能に案内され、戸先面から突出する方向に付勢されたトリガー杆と、このトリガー杆の近傍において前後方向に移動可能に案内されたスライダーと、上記トリガー杆及びスライダーの中間に植設された支軸に中央部を揺動可能に支承され、一端をトリガー杆に、他端をスライダに夫々係合させた挺子レバーと、上記スライダーの前端部に一端を揺動可能に支承され、他端がトリガー杆に近接する方向に付勢されると共に、他端部に常態においてほぼ水平なアーム部を形成したホルダーと、常態において上記アーム部とほぼ垂直で、基端をアーム部の先端に揺動可能に支承されると共に、ローラーを回動可能に坦持した先端が前方に付勢され、また、ローラーの中心位置をホルダーの一端における支軸の中心より基端側に僅かに偏位させた係止ピースとを有し、引戸の閉止時、戸枠に当接して後方に移動するトリガー杆により挺子レバーを介してスライダーを前進させ、戸枠に開口した係止孔の上側開口縁に係止ピースの先端を係合させることにより、ホルダーのアームをトリガー杆から離間する方向に回動させ、その先端の係止ピースが係止孔を潜り抜けた後、これを係止孔の裏側から係止孔の上側開口縁に係合させるようにしたことを特徴とする。
【発明の効果】
【０００９】
上記のように構成されたこの発明による仮締り機構は、引戸の閉止時前進するホルダーのアーム部の先端の係止ピースをアーム部の回動を利用して戸枠の係止孔を潜り抜けさせ、係止ピースが係止孔を潜り抜けた後ホルダーの付勢力により係止ピースを常態の角度位置に戻し、このとき係止ピースが係止孔の裏側からその開口端縁部に係合するので、引戸はこの係止ピースを介して戸枠に係止されることになり、引戸の閉止時のバウンドが有効に防止される。
【００１０】
また、引戸を再度開放する時その侭引戸を開けると係止ピース及びホルダーがその付勢力に抗して倒れるので、何等の解除操作を行わなくても引戸の係止を解くことができ、引戸錠或いは引戸の使い勝手が良くなる。
【００１１】
更にまた、引戸錠とは独立に引戸の仮締り機能を有しており、引戸を押し引きするだけで引戸の仮締り及び仮締りの解除を行うことができるので、その設置箇所に制限が無く、例えば通行の邪魔にならない引戸の上方に設置することができる、等種々の効果をそうする。
【発明を実施するための最良の形態】
【００１２】
ホルダーのアーム部の先端に係止ピースを揺動可能に装着し、従来のバウンド防止機構と比較して解除操作を伴わずに引戸を再度開けることができる、という機能を付与した。
【実施例１】
【００１３】
図１において、符号１は引戸２の戸先に装着された基枠を示し、図示の実施例における基枠１は偏平な箱状体であるが、基枠は必ずしも箱状体である必要はなく、引戸そのものでも良い。
【００１４】
この基枠１内には、トリガー杆３が戸先面４に垂直な前後方向（図１で左右方向）に移動可能に案内されている。
【００１５】
図示の実施例では、このトリガー杆３は細長いブロック体であり、その両側に突設された係合突起３ａ、３ａ（図２参照）を基枠に形成された水平方向に長い案内溝５に摺動可能に係合させることにより、前後方向に移動可能に案内されている。
【００１６】
また、図２に示すように、トリガー杆３の中央部の、図１において向う側の側面の肉が盗まれてばね洞６が形成されており、このばね洞６内に、基枠１の内面に突設されたばね受け片７（図２参照）が挿入されている。
【００１７】
更にまた、上記ばね洞６の前方の内面とばね受け片７との間には、圧縮コイルばねとしてのトリガーばね８が弾装されており、このトリガーばね８の弾力により、トリガー杆３は前方（図１で左方）に付勢されている。
【００１８】
なお、図１において符号９は合成樹脂製のトリガーキャップを示し、このトリガーキャップを装着することにより、後述するようにトリガーが戸枠に当接した時戸枠に傷が付きにくいが、このトリガーキャップはこの発明の必須の構成要件ではない。
【００１９】
一方、図１における上記トリガー杆３の近傍（下方）には、スライダー１１が前後方向に移動可能に案内されている。
【００２０】
図示の実施例におけるスライダー１１は、図３に示すように、水平面に対する投影形状が略コ字形になるように板材を折曲げた部材で、これを３ヵ所で水平に貫通するスライドピン１２、１２の両端を基枠に形成された案内溝５に摺動可能に係合させることにより、前後方向に移動可能に案内されている。
【００２１】
他方、図１に示すように、上記トリガー杆３とスライダー１１の中間で、やや後方寄りの部分に、支軸１３が植設されており、この支軸１３に細長い板状の挺子レバー１４が揺動可能に支承されている。
【００２２】
すなわち、挺子レバー１４の中央部には長穴が形成されており、挺子レバー１４はこの長穴を介して上記支軸１３に遊動可能に支承されている。
【００２３】
また、挺子レバー１４のトリガー杆３に近接した端部には従動ピン１５が突設されており、この従動ピン１５は、トリガー杆３の高端部に形成された、図面を明瞭にするため付番を省略するＵ字形の溝に係合している。
【００２４】
更にまた、挺子レバー１４のスライダー１１と重合する端部にその長さ方向に沿って長穴が形成されており、挺子レバー１４は、この長穴をスライダの後端のスライドピン１２に摺動可能に係合させている。
【００２５】
上記した構成により、図１の常態からトリガー杆３が後方に移動すると、挺子レバー１４が時計方向に回動し、スライダー１１が前進する。
【００２６】
一方、上記スライダー１１の前端部にホルダー１６の一端部が揺動可能に軸支されている。
【００２７】
図示の実施例におけるホルダー１６は、全体の形状がＬ字形のブロック体で、図１及び図３に示すように、その一端である上端を、スライダー１１の前端を水平に貫通するスライドピン１２によって揺動可能に軸支されている。
【００２８】
そして、このホルダー１６は、上記スライダーの前端のスライドピンに巻装された捩りコイルばねとしてのホルダーばね１７の弾力により、図１で時計方向に、換言すれば、ホルダーの他端が上方のトリガー杆３に近接する方向に付勢されている。
【００２９】
しかして、ホルダーばね１７に外力が作用しない常態においては、ホルダーの一端の垂直部前面がスライダーの内面に当接し、図示の角度位置、すなわち、ホルダーの他端部であるアーム部１６ａがほぼ水平になる角度位置をとるように各部の形状、寸法が設定されている。
【００３０】
また、ホルダー１６の他端、すなわち、上記アーム部１６ａの先端には、係止ピース１８の基端が揺動可能に支承されている。
【００３１】
この係止ピース１８は、先端が二股状に成形され、この二股部分にローラー１９を転動可能に軸支したブロック体で、その基端の支軸に巻装された捩りコイルばねとしての係止ピースばね２１の弾力により、反時計方向に、すなわち、先端が前方に付勢されている。
【００３２】
しかして、係止ピースばね２１に外力が作用しない常態においては、係止ピース１８の基端２２（図１参照）がアーム先端の段部２３に当接して、図１に示すように、係止ピース１８がホルダーのアーム部１６ａとほぼ垂直な関係角度になるように設定されている。
【００３３】
なお、係止ピース１８及びローラー１９の寸法、形状は、図１に示すように、戸枠２４に開口した係止孔２５の上側開口縁２６とほぼ同じ高さになるように設定する。
【００３４】
また、ローラー１９の中心軸の垂直方向における位置は、ホルダー１６の回動中心よりやや下方になるように、換言すれば係止ピース１８の基部側に偏位するように設定するものとする。
【００３５】
更にまた、図１に示すように、上側開口縁２６は長穴２８を介して戸枠２４にねじ止めすることが望ましい。それは、後述の係止ピース１８の取付高さに応じて、係止ピースとの係合の態様を最適にするためである。
【００３６】
上記のように構成されたこの発明の一実施例による仮締り機構は、引戸の閉止前には、図１に示すように、トリガー杆３の先端が戸枠２２から離間しているから、トリガー杆３はそのトリガーばね８の弾力により前方に一杯に突出している。
【００３７】
引戸２を閉止のため戸枠２２に近接させると、トリガー杆３の先端が戸枠２４に当接し、その結果、図４に示すように、トリガー杆３はトリガーばね８の弾力に抗して後方に押動される。
【００３８】
すると、挺子レバー１４が時計方向に回動され、これに連動して、スライダー１１が前進して、ホルダーのアーム部１６ａの先端が基枠の開口から前方に突出し、アーム部１６ａの先端に担持されている係止ピース１８及びその先端のローラー１９が、係止孔の上側開口縁２６の表面に当接し、図４に示すように、係止ピースばね２１の弾力に抗して時計方向に回動して傾く。
【００３９】
なお、このときローラー１９と係止ピース１８とが同時に上側開口縁の表面に接触するように、上側開口縁の表面を斜めにするとよい。
【００４０】
また、図１に示すように、係止ピース１８の基部に係止段部２７を形成し、この係止段部２７がアーム部１６ａの上面に当接することにより係止ピース１８が倒れる角度を制限するものとする。
【００４１】
この状態で引戸を更に閉止方向に移動させると、係止ピース１８と上側開口縁２６との間に生じる楔作用により、アーム部１６ａがホルダーばね１７の弾力に抗して反時計方向に回動する。
【００４２】
換言すれば、係止ピース１８及びローラー１９が上側開口縁２６の表面に沿って斜め下方に滑り、更に引戸２が閉止方向に移動すると、図５に示すように、スライダー１１が更に前方に移動するに連れ、係止ピース１８及びローラー１９が係止孔２５を潜り抜ける。
【００４３】
すると、アーム部１６ａは自由になるので、撓められたホルダーばね１７（図１参照）の弾力により、ホルダー１６は時計方向に急激に回動し、図６に示すように、係止ピース１８及びローラー１９が係止孔の上側端縁２６に裏側から係合するに至る。
【００４４】
このとき、係止ピース１８及びローラー１９の動きを円滑にするため、上側端縁２６の裏面側も斜めに削ぐか或いは図示のように断面形状に丸みを持たせると良い。
【００４５】
図６に示す引戸の閉止状態では、ローラー１９の中心位置はホルダー１６の支軸の中心とほぼ同じであるから、引戸を開けようとする力の反力に起因するホルダー１６の反時計方向の回転モーメントは極小さく、ホルダーばね１７（図１参照）の弾力による回転モーメントを凌駕することができないので、この仮締り機構による引戸の係止状態は安定に保たれる。
【００４６】
引戸を再び開けるときには、引戸の引き手や取っ手に手を掛け、そのまま開放方向に少し強い力で引戸を動かすと、ローラー１９の中心がホルダー１６の一端の回転中心よりやや下方に偏位していることに起因する図６で反時計方向の回転モーメントがホルダーばね１７による回転モーメントを凌駕するに至る。
【００４７】
そうすると、ホルダー１６が少し反時計方向に回動する結果、図６でローラー１９の位置が少し下がり、上側開口縁２６の裏面下方の断面が丸みを帯びた部分に接触するようになる。
【００４８】
この状態で更に引戸に力を掛けると、ローラー１９と上側開口縁２６の裏面下方部分との間に生じる楔作用により、ホルダー１６或いはアーム部１６ａは更に反時計方向に回転モーメントを受け、対にはローラー１９が上側開口縁２６の下端縁を超えて図５に示すように係止孔２５から外れる。
【００４９】
そして、更に引戸を開けるにしたがって図４に示す状態を経て図１に示す常態に戻る。
【００５０】
したがって、引戸錠とは独立に引戸の仮締りをすることができ、引戸を閉めれば自動的に仮締り状態になり、開ければその仮締り状態が自動的に解除されるので、引戸の使い勝手が向上する。
【図面の簡単な説明】
【００５１】
【図１】この発明の一実施例による仮締り機構の一部を断面にして示す側面図で、引戸が開いている状態を示す。
【図２】トリガー杆の縦断面図。
【図３】ホルダーの平面図。
【図４】図１と同様の仮締り機構の側面図で、引戸の閉止の初期の状態を示す。
【図５】図１と同様の仮締り機構の側面図で、係止ピースが係止孔を潜り抜けた状態を示す。
【図６】図１と同様の仮締り機構の側面図で、係止ピースが上側開口縁に係止されている引戸の閉止状態を示す。
【符号の説明】
【００５２】
１  基枠
２  引戸
３  トリガー杆
４  戸先面
８  トリガーばね
１１  スライダー
１４  梃子レバー
１６  ホルダー
１７  ホルダーばね
１８  係止ピース
１９  ローラー
２１  係止ピースばね
２２  基端
２４  戸枠
２５  係止孔
２６  上側開口縁
【図１】
2005060961.tif 000003
【図２】
2005060961.tif 000004
【図３】
2005060961.tif 000005
【図４】
2005060961.tif 000006
【図５】
2005060961.tif 000007
【図６】
2005060961.tif 000008